(57)【要約】【課題】使用に際し、リレースイッチに故障がないことを把握可能な無停電電源装置、および無停電電源装置のスイッチ検査方法を提供すること。【解決手段】コンバータ２１と、蓄電手段２３と、インバータ２２と、バイパス回路２４とを具備する無停電電源装置１０であり、バイパス回路２４内にバイパス用リレースイッチ１５を設け、インバータ２２と出力端子１７の間にインバータ用リレースイッチ１６を設ける。さらに、交流電源１１の端子間の電位差を検出する第１の比較手段２０、一端部がインバータ２２とインバータ用リレースイッチ１６との間、他端部が負荷機器３０の他端部と商用交流電源１１の間に接続されて電位差を検出する第２の比較手段２５が設けられる。また、リレースイッチ１５，１６の作動制御と、比較手段２０，２５で検出される電位差に基づき、リレースイッチの正常作動の判断とを制御／判断手段２６で行う。【選択図】　図１
2004147448.tif 000002
【特許請求の範囲】
【請求項１】
交流電源からの交流電力を直流電力に変換するＡＣ／ＤＣコンバータと、このＡＣ／ＤＣコンバータからの直流電力で蓄電される蓄電手段と、この蓄電手段または上記ＡＣ／ＤＣコンバータからの直流電力を交流電力に変換するＤＣ／ＡＣインバータと、上記交流電源からの交流電力をバイパスするバイパス回路と、を具備し、上記ＤＣ／ＡＣインバータまたは上記バイパス回路を経た交流電力を負荷機器に供給する無停電電源装置において、
上記バイパス回路内に設けられているバイパス用リレースイッチと、
上記ＤＣ／ＡＣインバータと出力端子の間に設けられているインバータ用リレースイッチと、
入力される上記交流電源の電位差を入力部分で検出する第１の比較手段と、
一端部が上記ＤＣ／ＡＣインバータと上記インバータ用リレースイッチとの間に接続されると共に、他端部が上記負荷機器の他端部と上記商用交流電源の間に接続され、これらの端部の間における電位差を検出する第２の比較手段と、
上記いずれのリレースイッチをも制御作動させることが可能であると共に、この制御作動の後に、上記第１の比較手段、および上記第２の比較手段で検出される電位差に基づいて、上記バイパス用リレースイッチおよび上記インバータ用リレースイッチが正常に作動するか否かを判断する制御／判断手段と、
を具備することを特徴とする無停電電源装置。
【請求項２】
前記第１の比較手段の一端部と前記ＡＣ／ＤＣコンバータの間にコンバータ用リレースイッチが設けられると共に、前記第１の比較手段の他端部と前記負荷機器の間に負荷機器用リレースイッチが設けられ、上記コンバータ用リレースイッチおよび上記負荷機器用リレースイッチも前記制御／判断手段によって制御作動させられると共に正常に作動するか否かが判断されることを特徴とする請求項１記載の無停電電源装置。
【請求項３】
前記蓄電手段の両端の接続状態と、切り離し状態とを切り換え可能な切換リレースイッチが設けられ、この切換リレースイッチも前記制御／判断手段によって制御作動させられると共に正常に作動するか否かが判断されることを特徴とする請求項２記載の無停電電源装置。
【請求項４】
交流電源からの交流電力を直流電力に変換するＡＣ／ＤＣコンバータと、このＡＣ／ＤＣコンバータからの直流電力で蓄電される蓄電手段と、この蓄電手段または上記ＡＣ／ＤＣコンバータからの直流電力を交流電力に変換するＤＣ／ＡＣインバータと、上記交流電源からの交流電力をバイパスするバイパス回路と、を具備し、上記バイパス回路内、および上記ＤＣ／ＡＣインバータと出力端子の間に、それぞれバイパス用リレースイッチ、およびインバータ用リレースイッチが設けられている無停電電源装置のスイッチ検査方法において、
上記バイパス用リレースイッチをオン作動させて閉じた状態とすると共に、上記インバータ用リレースイッチは初期の閉じた状態のままとする第１の作動工程と、
上記バイパス用リレースイッチが作動したか否かを、上記交流電源の入力部分での電位差と上記ＤＣ／ＡＣインバータの出力部分の電位差の検出によって判断する第１の判断工程と、
上記バイパス用リレースイッチのオン作動を維持して閉じた状態とすると共に、上記インバータ用リレースイッチをオン作動させて開いた状態とする第２の作動工程と、
上記インバータ用リレースイッチが作動したか否かを、上記電位差の検出によって判断する第２の判断工程と、
を具備することを特徴とする無停電電源装置のスイッチ検査方法。
【請求項５】
前記ＡＣ／ＤＣコンバータと前記無停電電源装置の入力端子の一端部の間にコンバータ用リレースイッチが設けられると共に、上記入力端子と前記負荷機器の間に負荷機器用リレースイッチが設けられ、
前記第１の作動工程において、上記コンバータ用リレースイッチ、および上記負荷機器用リレースイッチをオン作動させると共に閉じた状態とし、
前記第１の判断工程において、上記コンバータ用リレースイッチ、および上記負荷機器用リレースイッチが作動したか否かを、前記電位差の検出によって判断することを特徴とする請求項４記載の無停電電源装置のスイッチ検査方法。
【請求項６】
前記蓄電手段の両端の接続状態と、切り離し状態とを切り換え可能な切換リレースイッチが設けられ、
前記第１の作動工程において、上記切換リレースイッチをオン作動させて閉じた状態とし、
前記第１の判断工程において、上記切換リレースイッチが作動したか否かを、前記電位差の検出によって判断することを特徴とする請求項５記載の無停電電源装置のスイッチ検査方法。
【請求項７】
交流電源からの交流電力を直流電力に変換するＡＣ／ＤＣコンバータと、このＡＣ／ＤＣコンバータからの直流電力で蓄電される蓄電手段と、この蓄電手段または上記ＡＣ／ＤＣコンバータからの直流電力を交流電力に変換するＤＣ／ＡＣインバータと、上記交流電源からの交流電力をバイパスするバイパス回路と、を具備し、上記バイパス回路内、および上記ＤＣ／ＡＣインバータと出力端子の間に、それぞれバイパス用リレースイッチ、およびインバータ用リレースイッチが設けられている無停電電源装置のスイッチ検査方法において、
上記バイパス用リレースイッチをオン作動させて閉じた状態とすると共に、上記インバータ用リレースイッチは初期の閉じた状態とする初期作動工程と、
上記初期作動工程における全てのリレースイッチが閉じた状態から、上記バイパス用リレースイッチまたは上記インバータ用リレースイッチのいずれか一方のリレースイッチのみを順次開いた状態に切り換え作動させる切換作動工程と、
上記切換作動工程におけるいずれか一方のリレースイッチの切り換え作動の度毎に、切り換え作動されたリレースイッチが適切に作動したか否かを、上記ＤＣ／Ａｃインバータの出力部分の電位差の検出によって判断する判断工程と、
を具備することを特徴とする無停電電源装置のスイッチ検査方法。
【請求項８】
前記ＡＣ／ＤＣコンバータと前記無停電電源装置の入力端子の一端部の間にコンバータ用リレースイッチが設けられると共に、上記入力端子と前記負荷機器の間に負荷機器用リレースイッチが設けられ、
前記初期作動工程では、上記コンバータ用リレースイッチと上記負荷機器用リレースイッチもオン作動させて閉じた状態とし、
前記切換工程では、上記コンバータ用リレースイッチと上記負荷機器用リレースイッチもいずれか一方のみが順次切り換え作動され、
前記判断工程では、これらのリレースイッチのうち、いずれか一方のリレースイッチの切り換え作動の度毎に、切り換え作動されたリレースイッチが適切に作動したか否かを、前記電位差の検出によって判断されることを特徴とする請求項７記載の無停電電源装置のスイッチ検査方法。
【請求項９】
前記蓄電手段の両端の接続状態と、切り離し状態とを切り換え可能な切換リレースイッチが設けられ、
前記初期作動工程では、上記切換リレースイッチもオン作動させて閉じた状態とし、
前記切換作動工程では、上記切換リレースイッチが切り換え作動され、
前記判断工程では、この切換リレースイッチの切り換えの際に、切換リレースイッチが適切に作動したか否かを、前記電位差の検出によって判断されることを特徴とする請求項８記載の無停電電源装置のスイッチ検査方法。
【発明の詳細な説明】
【０００１】
【発明の属する技術分野】
本発明は、無停電電源装置および無停電電源装置におけるスイッチ検査方法に関する。
【０００２】
【従来の技術】
デバイスの一種として、瞬間的な電源電圧の低下（瞬断）や突然の停電の時に、商用電源からバッテリー電源に切り替えて電圧や電流の変動を最小に抑え、パソコンやコンピュータのデータが失われるのを防ぐための予備電源装置ともいえる無停電電源装置（Ｕｎｉｎｔｅｒｒｕｐｔｉｂｌｅ　Ｐｏｗｅｒ　Ｓｙｓｔｅｍ　；ＵＰＳともいう。）がある。このＵＰＳにおいては、商用電源からの異常電力の負荷を防ぐ等の理由から、複数のスイッチが設けられている。通常、かかるスイッチとしては、サイリスタ等の半導体スイッチが用いられていて、この半導体スイッチに接続されている制御用コントローラからの電圧の印加により、該半導体スイッチのオン／オフを切り替える。
【０００３】
また、半導体スイッチの代わりに、リレースイッチを用いた構成も存在する。かかるリレースイッチを一部に用いた例としては、本出願人が既に出願を終えている特許文献１（特開２００２−１１２４７０号公報）記載のものがある。
【０００４】
【特許文献１】
特開２００２−１１２４７０号公報
【０００５】
【発明が解決しようとする課題】
ところで、ＵＰＳにおいてリレースイッチを用いた場合には、半導体スイッチと異なり、このリレースイッチは必ず劣化し、故障に至る。これは、リレースイッチが長期間のＵＰＳの運用に伴って、溶着や開放といった不具合を引き起こすことによる。このような不具合を防ぐ、といった観点からは、半導体スイッチを用いることが好ましい。しかしながら、半導体スイッチは、リレースイッチと比較して高価であり、コストが掛かる、という欠点を有している。
【０００６】
そこで、コスト的な観点から、リレースイッチを用いるＵＰＳが望まれているが、かかるリレースイッチを用いるに際して、故障が発生していないことを確実に把握でき、信頼性を担保することが望まれている。
【０００７】
本発明は、上記の事情に基づきなされたもので、その目的とするところは、使用に際して、リレースイッチに故障が発生していないことを把握することができる無停電電源装置、および無停電電源装置のスイッチ検査方法を提供しよう、とするものである。
【０００８】
【課題を解決するための手段】
上述の目的を達成するため、本発明は、交流電源からの交流電力を直流電力に変換するＡＣ／ＤＣコンバータと、このＡＣ／ＤＣコンバータからの直流電力で蓄電される蓄電手段と、この蓄電手段またはＡＣ／ＤＣコンバータからの直流電力を交流電力に変換するＤＣ／ＡＣインバータと、交流電源からの交流電力をバイパスするバイパス回路と、を具備し、ＤＣ／ＡＣインバータまたはバイパス回路を経た交流電力を負荷機器に供給する無停電電源装置において、バイパス回路内に設けられているバイパス用リレースイッチと、ＤＣ／ＡＣインバータと出力端子の間に設けられているインバータ用リレースイッチと、入力される交流電源の電位差を入力部分で検出する第１の比較手段と、一端部がＤＣ／ＡＣインバータとインバータ用リレースイッチとの間に接続されると共に、他端部が負荷機器の他端部と商用交流電源の間に接続され、これらの端部の間における電位差を検出する第２の比較手段と、いずれのリレースイッチをも制御作動させることが可能であると共に、この制御作動の後に、第１の比較手段、および第２の比較手段で検出される電位差に基づいて、バイパス用リレースイッチおよびインバータ用リレースイッチが正常に作動するか否かを判断する制御／判断手段と、を具備することとしたものである。
【０００９】
このような構成とすることにより、バイパス用リレースイッチとインバータ用リレースイッチの両方を閉じることによって、商用交流電源が、バイパス回路（バイパス用リレースイッチ）、インバータ用リレースイッチを経て、第２の比較手段まで供給される。そして、この第２の比較手段で電位差を検出し、これと第１の比較手段で検出された電位差とに基づくことで、バイパス用リレースイッチおよびインバータ用リレースイッチが正常に作動するか否かを、制御／判断手段で判断することができる。
【００１０】
また、他の発明は、上述の発明に加えて更に、第１の比較手段の一端部とＡＣ／ＤＣコンバータの間にコンバータ用リレースイッチが設けられると共に、第１の比較手段の他端部と負荷機器の間に負荷機器用リレースイッチが設けられ、コンバータ用リレースイッチおよび負荷機器用リレースイッチも制御／判断手段によって制御作動させられると共に正常に作動するか否かが判断されることとしたものである。
【００１１】
このような構成では、コンバータ用リレースイッチと負荷機器用リレースイッチの両方を併せて閉じることで、商用交流電源が、バイパス回路（バイパス用リレースイッチ）、インバータ用リレースイッチを経て、第２の比較手段まで供給される。そして、この第２の比較手段で電位差を検出することで、コンバータ用リレースイッチおよび負荷機器用リレースイッチが正常に作動するか否かも、制御／判断手段で判断することができる。
【００１２】
さらに、他の発明は、上述の発明に加えて更に、蓄電手段の両端の接続状態と、切り離し状態とを切り換え可能な切換リレースイッチが設けられ、この切換リレースイッチも制御／判断手段によって制御作動させられると共に正常に作動するか否かが判断されることとしたものである。この構成では、切換リレースイッチを閉じることで、商用交流電源が、バイパス回路（バイパス用リレースイッチ）、インバータ用リレースイッチを経て、第２の比較手段まで供給される。そして、この第２の比較手段で電位差を検出することで、切換リレースイッチが正常に作動するか否かも、制御／判断手段で判断することができる。
【００１３】
また、他の発明は、交流電源からの交流電力を直流電力に変換するＡＣ／ＤＣコンバータと、このＡＣ／ＤＣコンバータからの直流電力で蓄電される蓄電手段と、この蓄電手段またはＡＣ／ＤＣコンバータからの直流電力を交流電力に変換するＤＣ／ＡＣインバータと、交流電源からの交流電力をバイパスするバイパス回路と、を具備し、バイパス回路内、およびＤＣ／ＡＣインバータと出力端子の間に、それぞれバイパス用リレースイッチ、およびインバータ用リレースイッチが設けられている無停電電源装置のスイッチ検査方法において、バイパス用リレースイッチをオン作動させて閉じた状態とすると共に、インバータ用リレースイッチは初期の閉じた状態のままとする第１の作動工程と、バイパス用リレースイッチが作動したか否かを、交流電源の入力部分での電位差とＤＣ／ＡＣインバータの出力部分の電位差の検出によって判断する第１の判断工程と、バイパス用リレースイッチのオン作動を維持して閉じた状態とすると共に、インバータ用リレースイッチをオン作動させて開いた状態とする第２の作動工程と、インバータ用リレースイッチが作動したか否かを、電位差の検出によって判断する第２の判断工程と、を具備することとしたものである。
【００１４】
このようにすれば、第１の作動工程では、バイパス用リレースイッチを作動させ、電位差が生じた場合には、その作動が適切に為されたと、第１の判断工程で判断することができる。また、第２の作動工程では、インバータ用リレースイッチを作動させ、一定の電位差が生じない場合には、その作動が為されたと、第２の判断工程で判断する。このようにすることで、いずれのリレースイッチにおいても、オン作動の状況を検査することができる。
【００１５】
さらに、他の発明は、上述の発明に加えて更に、ＡＣ／ＤＣコンバータと無停電電源装置の入力端子の一端部の間にコンバータ用リレースイッチが設けられると共に、入力端子と負荷機器の間に負荷機器用リレースイッチが設けられ、第１の作動工程において、コンバータ用リレースイッチ、および負荷機器用リレースイッチをオン作動させると共に閉じた状態とし、第１の判断工程において、コンバータ用リレースイッチ、および負荷機器用リレースイッチが作動したか否かを、電位差の検出によって判断することとしたものである。
【００１６】
このようにすることで、第１の作動工程では、コンバータ用リレースイッチおよび負荷機器用リレースイッチを作動させ、電位差が生じた場合には、その作動が適切に為されたと、第１の判断工程で判断する。
【００１７】
また、他の発明は、上述の発明に加えて更に、蓄電手段の両端の接続状態と、切り離し状態とを切り換え可能な切換リレースイッチが設けられ、第１の作動工程において、切換リレースイッチをオン作動させて閉じた状態とし、第１の判断工程において、切換リレースイッチが作動したか否かを、電位差の検出によって判断することとしたものである。このようにすることで、第１の作動工程では、切換リレースイッチを作動させ、電位差が生じた場合には、その作動が適切に為されたと、第１の判断工程で判断する。
【００１８】
さらに、他の発明は、交流電源からの交流電力を直流電力に変換するＡＣ／ＤＣコンバータと、このＡＣ／ＤＣコンバータからの直流電力で蓄電される蓄電手段と、この蓄電手段またはＡＣ／ＤＣコンバータからの直流電力を交流電力に変換するＤＣ／ＡＣインバータと、交流電源からの交流電力をバイパスするバイパス回路と、を具備し、バイパス回路内、およびＤＣ／ＡＣインバータと出力端子の間に、それぞれバイパス用リレースイッチ、およびインバータ用リレースイッチが設けられている無停電電源装置のスイッチ検査方法において、バイパス用リレースイッチをオン作動させて閉じた状態とすると共に、インバータ用リレースイッチは初期の閉じた状態とする初期作動工程と、初期作動工程における全てのリレースイッチが閉じた状態から、バイパス用リレースイッチまたはインバータ用リレースイッチのいずれか一方のリレースイッチのみを順次開いた状態に切り換え作動させる切換作動工程と、切換作動工程におけるいずれか一方のリレースイッチの切り換え作動の度毎に、切り換え作動されたリレースイッチが適切に作動したか否かを、ＤＣ／Ａｃインバータの出力部分の電位差の検出によって判断する判断工程と、を具備するものである。
【００１９】
このようにすることで、切換作動工程では、いずれか一方のリレースイッチのみを順次開いた状態にする。この状態で、電位差が生じた場合には、判断工程において、切り換えられたリレースイッチの作動が適切に為されたと判断される。
【００２０】
また、他の発明は、上述の発明に加えて更に、ＡＣ／ＤＣコンバータと無停電電源装置の入力端子の一端部の間にコンバータ用リレースイッチが設けられると共に、入力端子と負荷機器の間に負荷機器用リレースイッチが設けられ、初期作動工程では、コンバータ用リレースイッチと負荷機器用リレースイッチもオン作動させて閉じた状態とし、切換工程では、コンバータ用リレースイッチと負荷機器用リレースイッチもいずれか一方のみが順次切り換え作動され、判断工程では、これらのリレースイッチのうち、いずれか一方のリレースイッチの切り換え作動の度毎に、切り換え作動されたリレースイッチが適切に作動したか否かを、電位差の検出によって判断されることとしたものである。
【００２１】
このようにすることで、コンバータ用リレースイッチおよび負荷機器用リレースイッチにおいても、切換作動工程では、いずれか一方のリレースイッチのみを順次開いた状態にする。この状態で、電位差が生じた場合には、判断工程において、切り換えられたリレースイッチの作動が適切に為されたと判断される。
【００２２】
さらに、他の発明は、上述の発明に加えて更に、蓄電手段の両端の接続状態と、切り離し状態とを切り換え可能な切換リレースイッチが設けられ、初期作動工程では、切換リレースイッチもオン作動させて閉じた状態とし、切換作動工程では、切換リレースイッチが切り換え作動され、判断工程では、この切換リレースイッチの切り換えの際に、切換リレースイッチが適切に作動したか否かを、電位差の検出によって判断されることとしたものである。
【００２３】
このようにすることで、切換リレースイッチにおいても、切換作動工程では、いずれか一方のリレースイッチのみを順次開いた状態にする。この状態で、電位差が生じた場合には、判断工程において、切り換えられたリレースイッチの作動が適切に為されたと判断される。
【００２４】
【発明の実施の形態】
（第１の実施の形態）
以下、本発明の第１の実施の形態について、図１から図３に基づいて説明する。図１は、本発明の第１の実施の形態に係る無停電電源装置１０について示す図である。無停電電源装置１０は、コンセント等の商用電力を供給する商用交流電源１１（以下、交流電源１１という。）に接続される。この交流電源１１のうち、その一端側１１ａには、コンバータ用リレースイッチとしての第１のリレースイッチ１２が接続され、またこの一端側１１ａは、第１のリレースイッチ１２に接続される手前で、第１の比較手段としての比較器２０の入力端子の一端側２０ａに接続されている。
【００２５】
同じく、交流電源１１の他端側１１ｂには、負荷機器用リレースイッチとしての第２のリレースイッチ１３が接続される。また交流電源１１の他端側１１ｂには、第２のリレースイッチ１３に接続される手前で、比較器２０の入力端子の他端側２０ｂに接続されている。ここで、比較器２０は、両方の入力端子２０ａ，２０ｂを介して、交流電源１１における電位差を検出するものである。また、比較器２０は、後述する制御用コントローラ２６に接続されていて、この電位差の検出によって、交流電源１１の電位差を、該制御用コントローラ２６で確認することを可能としている。なお、この比較器２０は、制御用コントローラ２６に内蔵させる構成としても良い。
【００２６】
また、第１のリレースイッチ１２および第２のリレースイッチ１３は、切換リレースイッチである第３のリレースイッチ１４に接続されている。ここで、第１のリレースイッチ１２は、第３のリレースイッチ１４の一方の接点１４ａに、第２のリレースイッチ１３は、他方の接点１４ｂに接続される。この第３のリレースイッチ１４は、オン時には接点１４ａ側と接続状態となり、第１のリレースイッチ１２のオン時には、交流電源１１の一端側１１ａが、ＡＣ／ＤＣコンバータ（以下、単にコンバータという。）２１に接続される状態となる。そして、交流電源１１の他端側１１ｂが、第２のリレースイッチ１３、後述するコンデンサ２３を介してコンバータ２１に接続されることで、このコンバータ２１によって、交流電力が直流電力に変換される。
【００２７】
なお、第３のリレースイッチ１４は、そのオフ時には、接点１４ｂと接続状態となり、後述するコンデンサ２３が短絡された状態となる。
【００２８】
また、コンバータ２１は、ＤＣ／ＡＣインバータ２２（以下、単にインバータ２２という。）に接続され、直流電力を再び交流電力に変換する。このインバータ２２は、出力端子１７の一端側１７ａに、インバータ用リレースイッチとしての第５のリレースイッチ１６を介して接続されている。なお、この出力端子の一端側１７ａ、および出力端子１７の他端側１７ｂには、例えばパーソナルコンピュータ等の負荷機器３０が接続される。また、出力端子１７の他端側１７ｂは、接点１４ｂおよび第２のリレースイッチ１３の他端と接続している。また、コンバータ２１とインバータ２２の間には、蓄電手段としてのコンデンサ２３および不図示のバッテリの一端側が接続されている。また、コンデンサ２３およびバッテリの他端側は、第２のリレースイッチ１３の他端に接続されている。
【００２９】
第３のリレースイッチ１４とコンバータ２１の間には、バイパス回路２４の一端側が接続されている。このバイパス回路２４内には、バイパス用リレースイッチとしての第４のリレースイッチ１５が設けられている。また、第５のリレースイッチ１６と出力端子の一端側１７ａ（負荷機器３０）の間には、バイパス回路２４の他端側が接続されている。また、インバータ２２と第５のリレースイッチ１６の間の部位には、第２の比較手段としての比較器２５の入力端子の一端側２５ａが接続されている。また、比較器２５の入力端子の他端側２５ｂは、第２のリレースイッチ１３の他端であって、出力端子１７の他端側１７ｂに接続されている。
【００３０】
なお、この比較器２５も、制御用コントローラ２６に接続されていて、電位差を検出することにより、後述するように各リレースイッチ１２〜１６の導通／非導通を制御用コントローラ２６で確認することを可能としている。また、この比較器２５も、制御用コントローラ２６に内蔵させる構成としても良い。
【００３１】
また、第１のリレースイッチ１２から第５のリレースイッチ１６の夫々は、制御／判断手段としての制御用コントローラ２６に接続されている。制御用コントローラ２６は、各リレースイッチ１２〜１６のオン／オフを制御することを可能としている。すなわち、制御用コントローラ２６は、各リレースイッチ１２〜１６に接続されて電流を流すことを可能としていると共に、各リレースイッチ１２〜１６を導通させるか否かを、内部のＲＯＭ（Ｒｅａｄ　Ｏｎｌｙ　Ｍｅｍｏｒｙ）またはマイコンに記憶されている制御プログラムにより制御することを可能としている。また、これらの代わりに、ＭＰＵ（Ｍｉｃｒｏ　Ｐｒｏｃｅｓｓｉｎｇ　Ｕｎｉｔ）、ＤＳＰ（Ｄｉｇｉｔａｌ　Ｓｉｇｎａｌ　Ｐｒｏｃｅｓｓｏｒ）を用いても良い。
【００３２】
ここで、夫々のリレースイッチ１２〜１６がオン作動された場合、第１のリレースイッチ１２は閉じた状態となり、第２のリレースイッチ１３も閉じた状態となり、第３のリレースイッチ１４は接点１４ａが接触状態（以下、この状態を閉じた状態という）となる。また、第４のリレースイッチ１５も閉じた状態となるが、第５のリレースイッチ１６は開いた状態となる。
【００３３】
また、コンバータ２１およびインバータ２２も、制御用コントローラ２６に接続され、電力変換が制御されている。
【００３４】
以上のような構成を有する無停電電源装置１０のスイッチ検査手順に関して、図２および図３に基づいて、以下に説明する。なお、図２における▲１▼〜▲５▼の数字は、第１から第５のリレースイッチ１２〜１６に夫々相当する。
【００３５】
まず、この無停電電源装置１０を交流電源１１に接続し（ステップＳ１）、使用を開始するに先立って、各リレースイッチ１２〜１６に溶着や開放といった不具合が起こっていないかを確認する。この場合、制御用コントローラ２６は、図２に示すように、各リレースイッチ１２〜１６に対して、第１のリレースイッチ１２、第２のリレースイッチ１３、第３のリレースイッチ１４、第４のリレースイッチ１５の夫々をオンにすると共に、第５のリレースイッチ１６のオフにし、閉じた状態を維持する制御指令を与え、全てのリレースイッチ１２〜１６を閉じた状態にする（第１の作動工程；ステップＳ２）。
【００３６】
すなわち、第１、第２、第４の各リレースイッチ１２，１３，１５は、正常に動作するならば、オン状態でスイッチが閉じた状態となり、第３のリレースイッチ１４は、オン状態で接点１４ａ側が接触状態となり、さらに、第５のリレースイッチ１６は、スイッチが閉じた状態となる。それにより、各リレースイッチ１２〜１６が正常に動作するならば、交流電源１１の一端側１１ａ、第１のリレースイッチ１２、第３のリレースイッチ１４、第４のリレースイッチ１５（バイパス回路２４）、第５のリレースイッチ１６、比較器２５の一端側２５ａ、比較器２５の他端側２５ｂ、第２のリレースイッチ１３、交流電源１１の他端側１１ｂとなる、閉回路が形成される。
【００３７】
かかる閉回路が形成されると、比較器２０，２５によって電位差を検出できることとなるが、その場合には、両比較器２０，２５の電位差は、ほぼ等しい（または一定値）になる。このため、これらの比較器２０，２５の電位差を制御用コントローラ２６で検出し（ステップＳ３）、この検出によって、第１〜第４のリレースイッチ１２〜１５が正常に動作するか否か（各リレースイッチ１２〜１５が閉じない異常が生じていないか否か）を判断・確認する（第１の判断工程；ステップＳ４）。以上のようにして、第１〜第４のリレースイッチ１２〜１５が、正常にオン作動することの検査が為される。
【００３８】
ステップＳ４が肯定的な場合には、続いて、図２に示すように、第５のリレースイッチ１６を、オフ（閉じた状態）からオン（開いた状態）に切り換える（第２の作動工程；ステップＳ５）。この場合は、第５のリレースイッチ１６が開放されることとなるので、両比較器２０，２５の電位差が異なる（または比較器２５に電位差が生じない）こととなる。このため、これらの比較器２５の電位差を制御用コントローラ２６で検出し（ステップＳ６）、この検出によって、第５のリレースイッチ１６が正常に動作するか否か（第５のリレースイッチ１６が開かない異常が生じていないか否か）を判断・確認する（第２の判断工程；ステップＳ７）。このようにして、第５のリレースイッチ１６が、正常にオン作動することを確認する。
【００３９】
なお、ステップＳ４、およびステップＳ７の確認において、異常が生じている場合には、例えば無停電電源装置１０に設けられている異常検出ランプ（不図示）を点灯させたり、負荷機器３０としてのパーソナルコンピュータにインストールされている無停電電源装置用のプログラムで異常検出メッセージの表示、といった手段により、外部（ユーザ）に異常を報知させる。この場合、無停電電源装置１０が使用不可能となる（起動しない）ようにしても良い。
【００４０】
ここで、無停電電源装置１０が使用不可能となる場合には、パーソナルコンピュータに異常検出メッセージを表示させることはできないが、この無停電電源装置１０が例えばＬＡＮ等のイントラネットに接続されている場合には、該イントラネットを管理するためのサーバに、上述のメッセージを表示させるようにしても良い。また、かかるステップＳ４、Ｓ７での異常検出の場合には、原則としてその後に行う動作や手順は全て中止することとなる。
【００４１】
このような構成を有する無停電電源装置１０、および上述の手順により実行される無停電電源装置１０におけるスイッチ検査方法によれば、上述のように、第１〜第４のリレースイッチ１２〜１５をオン作動させ、全てのリレースイッチ１２〜１６をまず閉じた状態とすることで、これら第１〜第４のリレースイッチ１２〜１５が作動するか否かを検査・確認することができる。この後に、第５のリレースイッチ１６を、オフ状態からオン作動させることにより、この第５のリレースイッチ１６が作動するか否かを検査・確認することができる。
【００４２】
このように、各リレースイッチ１２〜１６に対して、電流の導通の有無により作動チェックを行うことにより、簡便な方法で各リレースイッチ１２〜１６の作動チェックを行うことができる。また、かかる簡便な方法でも、無停電電源装置１０における重故障を未然に防止し、負荷機器３０に不具合を生じさせるのを未然防止することができる。
【００４３】
また、本実施の形態では、既にある制御用コントローラ２６を用いたソフト的な動作により、簡単に、各リレースイッチ１２〜１６の作動検査を行うことができる。そのため、かかるソフト的な動作によるスイッチ検査により、別途の部品を設けずに済み、コストが増加するのを抑えることができる。また、従来のような高価なサイリスタ等の半導体スイッチを用いずに、安価なリレースイッチ１２〜１６を用いることができ、しかも、かかる安価なリレースイッチ１２〜１６における信頼性を十分確保した上で、無停電電源装置１０を使用可能となる。
【００４４】
（第２の実施の形態）
以下、本発明の第２の実施の形態について、図１、図４および図５に基づいて説明する。なお、この実施の形態において用いられる無停電電源装置１０は、上述の第１の実施の形態で述べられた構成と、同様の構成であり、図１に示されているものと、異なるところはない。また、図４の▲１▼〜▲５▼の数字は、図２の▲１▼〜▲５▼の数字の意味と同様である。以下、本実施の形態においては、無停電電源装置１０におけるスイッチ検査手順の第２の実施の形態に関して、図４および図５に基づいて説明する。
【００４５】
図３に示すように、本実施の形態においては、無停電電源装置１０の使用に先立って、上述の第１の実施の形態におけるステップＳ１、およびステップＳ２と同様のステップＳ１１、ステップＳ１２を実行する。すなわち、無停電電源装置１０を交流電源１１に接続する（ステップＳ１１）。次に、図２に示すように、制御用コントローラ２６は、各リレースイッチ１２〜１６に対して、第１のリレースイッチ１２、第２のリレースイッチ１３、第３のリレースイッチ１４、第４のリレースイッチ１５の夫々をオン作動させると共に、第５のリレースイッチ１６をオフにする制御指令を与え、全てのリレースイッチ１２〜１６が閉じた状態（第３のリレースイッチ１３においては、接点１４ａが接触状態）にする（初期作動工程；ステップＳ１２）。
【００４６】
そして、両比較器２０，２５の電位差を制御用コントローラ２６で検出し（ステップＳ１３）、この検出によって、全てのリレースイッチ１２〜１６が閉じた状態となっているか否か（各リレースイッチ１２〜１６が閉じない異常が生じていないか否か）を判断・確認する（ステップＳ１４）。
【００４７】
なお、この確認において、異常が生じている場合には、上述の第１の実施の形態で述べたように、例えば異常検出ランプの点灯、パーソナルコンピュータおよび管理用サーバでの異常検出メッセージの表示、といった手段により、外部（ユーザ）に異常を報知させる。また、かかる異常検出の場合には、原則として、以後の動作、手順は中止させる。
【００４８】
続いて、上述の各リレースイッチ１２〜１６の閉状態において、異常の検出がなかった場合には、制御用コントローラ２６は、各リレースイッチ１２〜１６に対して、これらのうちの１つのみを順次開放して、各リレースイッチ１２〜１６のスイッチ切り離し作動（開放動作）の作動確認のための制御指令を与える（切換作動工程；ステップＳ１５）。具体的には、図４に示すように、制御用コントローラ２６からの指令により、第１〜第４のリレースイッチ１２〜１５をオンにし、第５のリレースイッチ１６をオフ（スイッチが閉じている状態）にしている状態から、いずれか１つのリレースイッチ１２〜１６のオン／オフを、順次逆にする。
【００４９】
すなわち、制御用コントローラ２６は、第１のリレースイッチ１２から第５のリレースイッチ１６まで、順次１つのリレースイッチ１２〜１６のみが開いた状態にする。この場合、第１〜第４の夫々のリレースイッチ１２〜１５は、オン状態からオフ状態に切り換えられ、第５のリレースイッチ１６はオフ状態からオン状態に切り換えられることとなる。
【００５０】
ここで、制御用コントローラ２６においては、夫々の比較器２０，２５における電位差を検出する（ステップＳ１６）。この場合、いずれか１つのリレースイッチ１２〜１６のみが開放状態となることで、比較器２５においては比較器２０とほぼ同等（または比較器２５に電位差が生じない）の電位差が得られないこととなる。それにより、かかる電位差の検出によって、各リレースイッチ１２〜１６が正常に動作するか否か（各リレースイッチ１２〜１６が開かない異常が生じていないか否か）を判断・確認する（判断工程；ステップＳ１７）。
【００５１】
以上のような、各リレースイッチ１２〜１６の動作確認により、異常が生じていないと判断される場合には、無停電電源装置１０は問題なく使用可能となる。逆に、この確認において、異常が生じていると判断された場合には、上述の第１の実施の形態で述べたように、例えば異常検出ランプの点灯、パーソナルコンピュータおよび管理用サーバでの異常検出メッセージの表示、といった手段により、外部（ユーザ）に異常を報知させる。また、かかる異常検出の場合には、原則として、その後の動作、手順は中止させる。
【００５２】
このような構成を有する無停電電源装置１０、および上述の手順により実行される無停電電源装置１０におけるスイッチ検査方法によれば、初期作動工程により、第１〜第４のリレースイッチ１２〜１５をオン作動させ、全てのリレースイッチ１２〜１６を閉じた状態とすることで、これらのリレースイッチ１２〜１６が、全てのリレースイッチを、閉じた状態にすることができるか否か、まず、検査・確認することができる。
【００５３】
そして、かかる閉状態の確認の後に、第１〜第５のリレースイッチ１２〜１６の夫々を、１つずつ開いた状態（第１〜第４のリレースイッチ１２〜１５においては、オンからオフ、第５のリレースイッチ１６においてはオフからオン）とすることにより、個々のリレースイッチ１２〜１６が溶着等によって開放しない、という不具合が生じていないか否か、検査することができる。
【００５４】
すなわち、リレースイッチ１２〜１６が閉じたまま溶着していると、該リレースイッチ１２〜１６は開放しなくなり、正しい作動が為されず、無停電電源装置１０に故障が生じた状態となる。そして、かかる溶着状態で、無停電電源装置１０を使用することによって生ずる問題、すなわち、該無停電電源装置１０に一層の重故障を生じさせたり、負荷機器３０側に故障を生じさせてしまう等の問題を、未然に防止することができる。
【００５５】
なお、本実施の形態においても、上述の第１の実施の形態における場合と同様に、各リレースイッチ１２〜１６の１つずつが、閉じた状態から開いた状態にしてから、電流の導通の有無により作動チェックを行う。そのため、簡便な方法で各リレースイッチ１２〜１６の作動チェックを行うことができる。また、既にある制御用コントローラ２６を用いて、ソフト的な動作で各リレースイッチ１２〜１６の作動検査を行う。そのため、スイッチ検査のために、別途の部品を設けずに済み、コストが増加するのを抑えることができる。
【００５６】
以上、本発明の第１の実施の形態、および第２の実施の形態について述べたが、本発明は、これ以外にも種々変形可能となっている。以下、それについて述べる。
【００５７】
上述の実施の形態における無停電電源装置１０では、第１〜第５のリレースイッチ１２〜１６を設ける構成となっているが、これらのリレースイッチ１２〜１６のうち、第１および第２のリレースイッチ１２，１３を設けずに導通状態とし、第３のリレースイッチ１４を設けず接点１４ａ側に常に接続させた導通状態とし、第４のリレースイッチ１５、および第５のリレースイッチ１６のみを設ける構成としても良い。かかる構成としても、インバータ２２を通過した交流電力、およびバイパス回路２４を通過した交流電力を、負荷機器３０側に選択的に供給可能となる。
【００５８】
また、第４のリレースイッチ１５、および第５のリレースイッチ１６を設けると共に、第１〜第３のリレースイッチ１２〜１４の少なくとも１つを、選択的に設ける構成としても良い。また、第１〜第５のリレースイッチ１２〜１６のうち、少なくとも１つをリレースイッチとすると共に、他のスイッチを、半導体スイッチとする構成を採用しても良い。かかる場合でも、全てを半導体スイッチとしている場合よりも、コスト削減の効果を奏させることができる。
【００５９】
また、上述の実施の形態では、制御用コントローラ２６は、各リレースイッチ１２〜１６を制御する機能と、比較器２０，２５での電位差の検出結果に基づいて、各リレースイッチ１２〜１６が正常に作動しているか判断する機能とを、兼ね備えたものとなっているが、これらの機能毎に、別々の構成となるように分離しても良い。
【００６０】
また、リレースイッチを用いる他の装置に、本発明を適用しても良い。また、入力される交流電源としては、商用以外の他の交流電源を用いても良い。さらに、比較器２０を省き、単に入力確認（検知）手段を端子１１ａおよび／または端子１１ｂの部分に設けるようにしても良い。さらには、比較器２０も入力検知手段も設けず、比較器２５のみで、各リレースイッチ１２〜１６の動作を確認するようにしても良い。
【００６１】
【発明の効果】
本発明によれば、使用に際して、リレースイッチに故障が発生していないことを把握することができる。また、リレースイッチを用いることで、無停電電源装置におけるコストを抑えることができる。
【図面の簡単な説明】
【図１】本発明の第１の実施の形態、および第２の実施の形態に係る無停電電源装置の構成を示す回路図である。
【図２】本発明の第１の実施の形態に係るスイッチ検査方法のスイッチ切換手順を示す図である。
【図３】本発明の第１の実施の形態に係るスイッチ検査方法における検査手順を示すフローチャートである。
【図４】本発明の第２の実施の形態に係るスイッチ検査方法のスイッチ切換手順を示す図である。
【図５】本発明の第２の実施の形態に係るスイッチ検査方法における検査手順を示すフローチャートである。
【符号の説明】
１０…無停電電源装置
１１…交流電源（商用交流電源）
１２…第１のリレースイッチ（コンバータ用リレースイッチ）
１３…第２のリレースイッチ（負荷機器用リレースイッチ）
１４…第３のリレースイッチ（切換リレースイッチ）
１５…第４のリレースイッチ（バイパス用リレースイッチ）
１６…第５のリレースイッチ（インバータ用リレースイッチ）
２０…比較器（第１の比較手段）
２１…ＡＣ／ＤＣコンバータ（コンバータ）
２２…ＤＣ／ＡＣインバータ（インバータ）
２３…コンデンサ（蓄電手段）
２４…バイパス回路
２５…比較器（第２の比較手段）
２６…制御用コントローラ（制御／判断手段）
３０…負荷機器
【図１】
2004147448.tif 000003
【図２】
2004147448.tif 000004
【図３】
2004147448.tif 000005
【図４】
2004147448.tif 000006
【図５】
2004147448.tif 000007